(57)【要約】【課題】  使用の際に手間がかからず、不使用時には広いスペースを占めないようにする。【解決手段】  本発明の物干し装置６は、壁面状の被取り付け部位に取り付けられる横長の取り付け部７と、この取り付け部７に上方へ折り畳み可能に結合された棚板部８と、この棚板部８の前縁側に一体に設けられた吊り下げ支持部９とを有する。被取り付け部位は、望ましくは、サッシ戸３もしくはサッシ窓の換気用小窓４を構成する中桟５の室内側に設定される。【選択図】図１
2010136858.tif 000002
【特許請求の範囲】
【請求項１】
壁面状の被取り付け部位に取り付けられる横長の取り付け部と、この取り付け部に上方へ折り畳み可能に結合された棚板部と、この棚板部の前縁側に一体に設けられた吊り下げ支持部とを有することを特徴とする物干し装置。
【請求項２】
前記被取り付け部位が、サッシ戸もしくはサッシ窓の換気用小窓を構成する中桟の室内側に設定されている、請求項１に記載の物干し装置。
【請求項３】
サッシ戸もしくはサッシ窓の枠の上下方向中途位置に中桟を備え、この中桟の室内側を被取り付け部位として、該中桟に請求項１もしくは２に記載の物干し装置が取り付けられていることを特徴とするサッシ。
【発明の詳細な説明】
【技術分野】
【０００１】
本発明は、洗濯物の室内干しに使用する物干し装置と、この物干し装置を備えたサッシ戸もしくはサッシ窓等のサッシに関する。
【背景技術】
【０００２】
洗濯物を室内で干す必要が生じることは多々ある。例えば、天候が悪い日や、洗濯物が外で干すには抵抗のある下着である場合、あるいは、寮やワンルームマンションのように室外に物干し用の充分なスペースがない場合等である。
【０００３】
一般に、洗濯物を室内に干す場合、鴨居やその他の壁面の突起物を利用して、室内にロープを張り渡して、そのロープに洗濯物を掛けるようにしているが、ロープを張り渡すのは面倒な作業である。
【０００４】
そのため、従来、室内干しに適した物干し具が種々提案されている。それらの物干し具を大きく分けると、室内の既存の突起物を利用して、これに着脱するタイプ（例えば、特許文献１参照）と、床面に設置するタイプ（例えば、特許文献２参照）とがある。
【特許文献１】特開２００６−２２３６９８号公報
【特許文献１】特開２００５−２８８０６７号公報
【発明の開示】
【発明が解決しようとする課題】
【０００５】
ところで、従来提案されている物干し具において、室内の突起物に着脱するタイプでは、不使用時に物干し具を収容しておくスペースを必要とするばかりか、洗濯物を干すたびに、その物干し具を収容スペースから取り出してきて所要の突起物に装着しなければならず、手数のかかるものである。
【０００６】
床面に設置するタイプは、設置に手数はかからないものの、洗濯物は比較的に低い位置に吊り下げられることになるから、床面に家具やその他の物品を置いておくことができず、結局、広い場所を必要とする。
【０００７】
本発明は、固定的に取り付けるタイプとすることで、装着や取り外しの作業を不要にして、使用の際に要する手間をほぼ皆無にするとともに、別の収容スペースを不要にし、また、不使用時には、その取り付け個所で広いスペースを占めないようにすることを主たる課題とする。
【０００８】
また、本発明は、従来の物干し具が装着されない部位に着目し、この部位に取り付けるようにすることで、室内の空間を有効に利用するとともに、洗濯物を効率よく短時間で乾燥させられるようにすることを、次なる課題とする。
【課題を解決するための手段】
【０００９】
本発明による物干し装置は、壁面状の被取り付け部位に取り付けられる横長の取り付け部と、この取り付け部に上方へ折り畳み可能に結合された棚板部と、この棚板部の前縁側に一体に設けられた吊り下げ支持部とを有することを特徴とするものである。
【００１０】
上記取り付け部は、例えば、ねじにより被取り付け部位に取り付け固定されるが、このほか、被取り付け部位と取り付け部とが面接触する状態で接着剤により取り付け固定してもよく、また、被取り付け部位と取り付け部との一方に係合凸部を、他方に係合凹部を設けて、これら係合凸部と係合凹部との係合により、取り付け部を被取り付け部位に取り付け固定してもよく、取り付け部を被取り付け部位に取り付ける手段は特に問わない。
【００１１】
上記構成において、使用時には、棚板部をほぼ水平状に前方に突出する状態にして、その前縁側の吊り下げ支持部に、ハンガーを介して洗濯物を吊り下げる。なお、この場合、棚板部の上面には、適宜物品を載せて、通常の物載せ用の棚として使用することができる。
【００１２】
不使用時には、棚板部を上方に跳ね上げて折り畳めばよい。これで、棚板部は壁面に沿って折り畳まれる形となって、前方に突出しなくなり、それまで棚板部のあった場所は空きスペースとなる。
【００１３】
上記のように、物干し装置として使用する際には、棚板部を前方に倒したり、また棚板部を上方に折り畳んだりするだけでよく、部材を新たに取り付け、取り外すような面倒な手間を要しない。また、不使用時には、その被取り付け部位で棚板部が折り畳まれることで、広いスペースを占有しなくなり、さらに、被取り付け部位に取り付けたままで、取り外す必要がないので、別に収容するスペースも必要としない。
【００１４】
上記構成において、取り付け部の被取り付け部位は、サッシ戸もしくはサッシ窓の換気用小窓を構成する中桟の室内側に設定されていることが望ましい。
【００１５】
サッシ戸もしくはサッシ窓の室内側は、通常、物品の配置に使用されていないから、上記中桟の室内側に本発明の物干し装置が取り付けられていると、配置物品に邪魔されることなく、洗濯物を吊り下げ支持することができる。また、上記中桟の室内側は、陽射しが射し込みやすく、また、換気小窓を通じて空気が流通する個所であるから、洗濯物を効率よく短時間で乾燥させることができる。
【００１６】
なお、サッシ戸もしくはサッシ窓の室内側には、通常、カーテンが設けられるが、物干しとして使用しない場合、棚板部を上方に折り畳んでおけば、前方への突出部分がなくなり、支障なくカーテンを閉めることができる。
【００１７】
サッシ戸もしくはサッシ窓に換気用小窓がなく、したがって、この換気用小窓の下側部を構成する中桟がない場合は、そのサッシには、サッシ戸もしくはサッシ窓のガラス板を上下に分割してその分割個所に中桟を入れるなどして、予め中桟を設けておき、この中桟の室内側を、取り付け部の被取り付け部位とすればよい。
【発明の効果】
【００１８】
本発明によれば、使用に際して、棚板部を前方に倒したり上方に折り畳んだりすればよく、面倒な手間をかけずに、洗濯物を干すことができる。また、不使用時にはその取り付け個所で広いスペースを占有しないようにすることができる。
【発明を実施するための最良の形態】
【００１９】
以下、本発明の最良の実施の形態を、図１および図２を参照して説明する。図１は、本発明の一実施形態に係る物干し装置を備えたサッシの斜視図、図２は、図１の物干し装置部分の縦断面図である。
【００２０】
図１において、符号１はサッシの全体を示し、符号２は、その外枠である。外枠２内には、サッシ戸３がスライド自在に設けられている。サッシ戸３は、枠３ａとガラス板３ｂとからなり、上部には換気用小窓４が形成されている。符号５は、換気用小窓４の下側部を構成する中桟である。
【００２１】
上記中桟５の室内側に、本発明の一実施形態に係る物干し装置６が取り付けられている。物干し装置６は、取り付け部７と、棚板部８と、吊り下げ支持部９とを有する。
【００２２】
取り付け部７は、中桟５の室内側を被取り付け部位として、該中桟５に取り付け固定される横長の部分で、図２に示すように、前後に貫通する取り付け孔７ａを有し、この取り付け孔７ａに挿通したねじ１０により、中桟５に取り付け固定されている。
【００２３】
棚板部８は、取り付け部７から水平状に前方に突出する部分で、取り付け部７と同じ横幅を有し、取り付け部７の下側前面部に蝶番１１により上方へ折り畳み可能に結合されている。棚板部８の前方への突出寸法は、一般のハンガーＨの半分以上であればよい。この棚板部８は、後述する吊り下げ支持部９と一体に硬質の樹脂、例えばポリカーポネート樹脂により成形されている。
【００２４】
吊り下げ支持部９は、棚板部８の前縁側に垂下状に一体に形成されており、この実施形態では、ハンガーＨの柄が掛けられる係止孔９ａが多数列設されている。
【００２５】
なお、図２において、符号４ａは、換気用小窓４の可動側のガラス板、４ｂは固定側のガラス板である。
【００２６】
上記構成において、物干し装置として使用する場合は、図１および図２に実線で示すように、棚板部８をほぼ水平状に前方に突出する状態にして、その前縁側の吊り下げ支持部９の係止孔９ａに、洗濯物を掛けたハンガーＨの柄を係止することで、洗濯物を吊り下げる。
【００２７】
上記の場合、洗濯物は、サッシ戸３の室内側で換気用小窓４の下側に吊り下げられることになるが、その場所は、陽射しが射し込みやすく、また、換気用小窓４を通じて空気が流通する個所であるから、比較的短い時間で洗濯物は乾燥する。
【００２８】
なお、水平状に前方に突出している棚板部８上には、適宜物品を載せて、物置き棚として使用してもよい。
【００２９】
不使用時には、図２に仮想線で示すように、棚板部８を上方に跳ね上げて折り畳めばよい。これで、棚板部８は前方に突出しなくなり、カーテンを支障なく閉めることができる。
【００３０】
図３は、本発明の他の実施形態を示す斜視図である。この実施形態に示すように、棚板部８は、その主要部を網体８ａで構成してもよい。このように網体８ａを用いると、棚板部８の軽量化が図れる。
【００３１】
また、棚板部８を上方に折り畳んだ場合、棚板部８は、換気用小窓４の室内側を覆うことになるが、上記のように、棚板部８の主要部が網体８ａであると、空気が通りやすく、換気用小窓４を通じての換気が阻害されない。
【００３２】
また、図３に示すように、吊り下げ支持部９は、横棒９ｂで構成してもよい。このように横棒９ｂを用いると、係止孔９ａを形成した場合より、多くのハンガーＨを掛けることができる。
【００３３】
吊り下げ支持部９としては、図１，２および図３の例を示したが、これらの形状に限定されるものではなく、要するに、ハンガーＨの柄を掛けられるものであればよい。
【００３４】
上記の実施形態では、サッシ戸３の換気用小窓４の中桟５に本発明の物干し装置６を取り付けたが、サッシ窓の換気用小窓の中桟に取り付けてもよい。サッシ戸もしくはサッシ窓に換気用小窓がない場合は、そのサッシ戸もしくはサッシ窓のガラス板を上下に分割してその分割個所に中桟を入れ、その中桟に本発明目の物干し装置６を取り付けるようにしてもよい。また、サッシ戸やサッシ窓に限らず、本発明の物干し装置６は、室内の壁面部の部材に取り付けるようにしてもよい。
【図面の簡単な説明】
【００３５】
【図１】本発明の一実施形態に係る物干し装置を備えたサッシの斜視図。
【図２】図１の物干し装置部分の縦断面図。
【図３】本発明の他の実施形態に係る物干し装置の斜視図。
【符号の説明】
【００３６】
３      サッシ戸
４      換気用小窓
５      中桟
６      物干し装置（全体）
７      取り付け部
８      棚板部
９      吊り下げ支持部
【図１】
2010136858.tif 000003
【図２】
2010136858.tif 000004
【図３】
2010136858.tif 000005